(57)【特許請求の範囲】
【請求項１】
第１のキャビティが一方の面側に穿設された固定側型板と、ホットランナーを前記固定側型板の他方の面側に当接させるように設けられた固定側ホットランナーシステムプレートと、前記固定側ホットランナーシステムプレートの前記ホットランナーが設けられた面と対向する面側に固定される固定側取付板と、を具備する固定側金型と、
第２のキャビティが一方の面側に穿設された移動側型板と、前記移動側型板の他方の面側に配置される移動側取付板と、前記移動側型板と前記移動側取付板との間に併設され、前記移動側型板の第２のキャビティから成形品を突き出すためのエジェクターピンを突設するエジェクタープレートと、前記エジェクターピンが挿通し案内するように設けられた受け板と、を具備する移動側金型と、
で構成され、成形品の形状に応じて前記固定側型板と前記移動側型板を交換して成形するホットランナー方式の射出成形金型において、
前記エジェクタープレートは、列状に位置固定エジェクターピンを複数突設するエジェクタープレートＢと、列状に位置可変エジェクターピンを複数突設するエジェクタープレートＡと、が前記移動側取付板と前記受け板との間に併設配置され、前記位置可変エジェクターピンは、前記受け板に前記位置可変エジェクターピンに対応して設けられ、成形品の突き出し方向と略直交する方向に移動可能な複数の長孔状の案内ガイドに沿って可変移動させ、調整した状態で、前記エジェクタープレートＡに位置を固定させると共に、
前記固定側金型の下部面に取り付けられ、受け面側が平坦な櫛歯状の固定側型板交換ガイドプレートと、前記移動側金型の下部面に取り付けられ、受け面側が平坦な櫛歯状の移動側型板交換ガイドプレートを、互いに噛み合い係合するようにしたことを特徴とするホットランナー成形金型。
【発明の詳細な説明】
【技術分野】
【０００１】
ホットランナー成形金型に関する。
【背景技術】
【０００２】
一般的な射出成形金型であるコールドランナー金型でプラスチック製品を成形する場合、スプルー及びランナー部と呼ばれる無駄な廃棄物が製品と一緒に冷却され、取り出されてしまう問題がある。このコールドランナー金型では、これらのスプルー及びランナー部が全て廃材となるため廃材コストが大きく、生産コストを大きく上げる要因となっている。
【０００３】
この廃材コストの問題点を解決するための手段として、スプルー及びランナー部を加熱して製品部のみを冷却するホットランナー方式の金型があげられる。
【先行技術文献】
【特許文献】
【０００４】
【特許文献１】特開平８−１２７０４５号公報
【０００５】
前記特許文献１ではランナレス金型が記載されているが、これもスプルー及びランナー部を加熱して、製品成形部のみを冷却するホットランナー方式の金型である。例えばプラスチックカトラリー製品であるフォークやスプーン等の複数種類の製品を成形する場合、彫り込みのある金型を、柄のような共通な部分と、それぞれの製品の形に応じた部分に分けて製造し、それぞれの製品形に応じた部分のみの金型を交換すれば良いことを特徴としているが、これでは製品の種類や形状が制限されてしまう。
【発明の概要】
【発明が解決しようとする課題】
【０００６】
前記の問題に鑑み、無駄な廃棄物を生むコールドランナー金型に代わって、ランナー部を熱し、製品成形部のみを冷却する従来型ホットランナー式の金型も存在するが、
この従来からのホットランナー成形金型では、１種類の製品を製作する成形金型に対し１台のホットランナーシステムを搭載する必要がある為、金型製造コストが異常に高く、桁違いの大量生産が必要とされる分野以外では、金型償却が困難であり普及は進んでいない。本発明では、製品成形部の固定側型板と移動側型板のみを交換する方式の安価なホットランナー成形金型を提供する。
【課題を解決するための手段】
【０００７】
第１のキャビティが一方の面側に穿設された固定側型板と、ホットランナーを固定側型板の他方の面側に当接させるように設けられた固定側ホットランナーシステムプレートと、固定側ホットランナーシステムプレートのホットランナーが設けられた面と対向する面側に固定される固定側取付板と、を具備する固定側金型と、
第２のキャビティが一方の面側に穿設された移動側型板と、移動側型板の他方の面側に配置される移動側取付板と、移動側型板と移動側取付板との間に併設され、移動側型板の第２のキャビティから成形品を突き出すためのエジェクターピンを突設するエジェクタープレートと、エジェクターピンが挿通し案内するように設けられた受け板と、を具備する移動側金型と、で構成され、成形品の形状に応じて固定側型板と移動側型板を交換して成形するホットランナー方式の射出成形金型において、
【０００８】
エジェクタープレートは、列状に位置固定エジェクターピンを複数突設するエジェクタープレートＢと、列状に位置可変エジェクターピンを複数突設するエジェクタープレートＡと、が移動側取付板と受け板との間に併設配置され、位置可変エジェクターピンは、受け板に位置可変エジェクターピンに対応して設けられ、成形品の突き出し方向と略直交する方向に移動可能な複数の長孔状の案内ガイドに沿って可変移動させ、調整した状態で、エジェクタープレートＡに位置を固定させると共に、
【０００９】
固定側金型の下部面に取り付けられ、受け面側が平坦な櫛歯状の固定側型板交換ガイドプレートと、移動側金型の下部面に取り付けられ、受け面側が平坦な櫛歯状の移動側型板交換ガイドプレートを、互いに噛み合い係合するようにした。
【発明の効果】
【００１０】
本発明では、製品成形部の固定側型板と移動側型板のみを製作し交換する方式のホットランナー成形金型を使用することにより、１台のホットランナーシステムで多種類の成形品を生産する事が可能な金型となり、金型が安価になり生産コストを削減することが可能となる。
【図面の簡単な説明】
【００１１】
【図１】本発明の金型の全体の分解斜視図である。
【発明を実施するための形態】
【実施例１】
【００１２】
以下本発明のうち、実施例１の形態を図１に基づいて説明する。図１は、右側に固定側、左側に移動側を、見やすくするために描いているが、現物は直線上に配置されている。
【００１３】
図１は本発明のホットランナー成形金型１の全体の斜視図である。ホットランナー成形金型１において、固定側を、第１のキャビティ２を含む交換式固定側型板３と、ホットランナー４を具備する固定側ホットランナーシステムプレート５に分離し、前記交換式固定側型板３を交換可能にする。
【００１４】
また移動側においては、位置可変エジェクターピン６を位置可変にする装置を具備するエジェクタープレートＡ７と、位置固定エジェクターピン８を具備するエジェクタープレートＢ９と、位置可変エジェクターピン６と位置固定エジェクターピン８を案内する案内ガイド１０を具備する受け板１１とを設ける。
【００１５】
交換式固定側型板３と、交換式移動側型板１２を金型１から取り外す際に、受け板１１の下部に具備された移動側型板交換ガイドプレート１３と、固定側取り付け板１５の下部に具備された固定側型板交換ガイドプレート１４にて、落下を受け止めるため、交換の迅速化が図れる。
【００１６】
以上、本発明の実施の形態を説明したが、本発明の範囲は、これに限定されるものではなく、本発明の要旨を逸脱しない範囲において、種々変更を加え得ることは勿論である。
【００１７】
また、本発明は上述の発明を実施するための最良の形態に限らず、本発明の要旨を逸脱することなく、その他種々構成を取り得ることは勿論である。
【符号の説明】
【００１８】
１  ホットランナー成形金型
２  第１のキャビティ
３  交換式固定側型板
４  ホットランナーシステム
５  固定側ホットランナーシステムプレート
６  位置可変エジェクターピン
７  位置可変エジェクタープレートＡ
８  位置固定エジェクターピン
９  エジェクタープレートＢ
１０  案内ガイド
１１  受け板
１２  交換式移動側型板
１３  移動側型板交換ガイドプレート
１４  固定側型板交換ガイドプレート
１５  固定側取り付け板
１６  スペーサブロック
１７  移動側取り付け板
１８  射出成形機ノズル
２０ 第２のキャビティ

【図１】
0006473871.tif 000002